(57)【特許請求の範囲】
【請求項１】
ケーブル接続部とケーブル引き止め金具６とを備えたクロージャＡ，Ｂを中空状電柱の電柱内部に組み込んだ電柱１において、電柱１の電柱中空状部１１に連通する開口部２を電柱１の下方に形成し、該開口部２に通気孔３のある扉４を開閉自在に設けるとともに、電柱先端に電柱中空状部１１に連通する排気口部５を形成し、前記ケーブル接続部に接続されるケーブルを前記電柱先端の排気口部５から電柱１の中空状部１１に引き込み前記ケーブル引き止め金具６に取付け保持したものであって、電柱１の開口部２に位置してクロージャＡ，Ｂが上下方向並びに前後方向に摺動自在に配備されるように、前記電柱１内に設けた断面Ｃ型レールのスライド用支柱７に摺動自在に嵌挿するスライド駒１７に連結桿１８を介してブラケット８が前後方向に摺動自在に備えられ、該ブラケット８にハンドル１９とクロージャＡ，Ｂを装備し、さらに前記ブラケット８に形成した長穴１６に嵌合したフランジピン１５によって前記クロージャＢが前後方向に摺動自在に装着され前記開口部２に露出位置することを特徴とする電柱。
【請求項２】
前記電柱１が、鋼管継柱上管と鋼管継柱下管とからなり、前記開口部２周辺には補強被覆材１０を付設し、電柱先端の排気口部５にケーブル導入用のラッパ管１１を備え、該ラッパ管１１にケーブル引き込みパイプ１２を電柱中空状部１１に吊垂配備したことを特徴とする請求項１記載の電柱。
【発明の詳細な説明】
【０００１】
【発明の属する技術分野】
本発明は、光ケーブルなどの通信ケーブルの接続部を保護するためのクロージャ、特に光ケーブル用クロージャを配備する電柱の改良に関するものである。
【０００２】
【従来の技術】
一般に、電気通信用分野において引き込み光ケーブルや電力線を、引込、接続分岐配線を行う接続部では、架空クロージャなどを用いケーブルが成端され、一本のケーブルが他の一本のまたはそれ以上のケーブルに接続され、個々の電話加入者へのドロップワイヤ（引き込み線）が接続される。
幾つかの架空クロージャは、過度の太陽光線、降雨又は昆虫及び動物に対してだけに保護を提供できるが、空気を通すことができまた、内部に水が溜まると水を排出できるものもある。
しかしながら、いずれの場合であっても、埋設ケーブルの場合を除けば、屋外線引き込みでは、第三者が簡単に触れることが出来ないようにするためケーブルは電柱を用いて架空クロージャを高所取付けによって地上高所作業によるケーブル引き込みが必要で、しかも保守、修理または取り外しなどの各作業も地上高所作業となるほか、架空クロージャは太陽、風雨などに晒されることとなるので、通常環境上温度−３０℃〜＋４０℃の条件下において、ケーブル接続部を気密に保護する構造のものが多用されている。
【０００３】
【発明が解決しようとする課題】
従来のケーブルの接続部を保護する収容体の架空クロージャでは、電柱の取付部材に備えたり、電柱に配線した架空ケーブルに備えて用いられるため、電柱周囲の障害物となり不体裁となって外観環境を悪くすると共に、地上高所作業によるケーブル引き込みが必要で、しかも保守、修理または取り外しなどの各作業も地上高所作業となって、装置類の取付けおよび配線接続の作業が容易でなく作業性が悪く安全性にも問題があるほか、架空クロージャは太陽、風雨などに晒されることとなるので、保護対策上の考慮にも環境上温度の条件や鳥害等の悪影響をも入れるとそれだけ取扱い煩雑となる傾向がある。また、クロージャの変形防止のために剛性を保ち、熱気、湿気の浸入を阻止しなければならないために、クロージャの各構成部分は互いに密に結合され、かつケーブルの固定化を十分満足させるためには特殊材を設けたものにすると、製作煩雑で高価となり耐久性の面や気密確保上締め付け力の管理や組立作業性の面でもいろいろ問題があった。
本発明は、これら従来の欠点を排除しようとするもので、ケーブル接続用クロージャなどを中空状電柱内部に安全に組み込んだ電柱として用い、空気の対流を活用して耐環境性を高めクロージャ装置の保護を図って、且つ都市景観に調和した電柱のスリム化で外観環境を大幅に向上させ、地上での安全作業と作業疲労度の軽減化とを実現できると共に、地上付近でのケーブル引き込み及び手元接続配線作業並びに通線機の操作も容易に可能にして作業効率を向上し、各装置類の接続保守が安全で、かつ過酷な環境条件下でもクロージャ装置を保護して安全性の高い電柱を構成簡単で安価な形態で提供しようとすることを目的とするものである。
【０００４】
【課題を解決するための手段】
本発明は、ケーブル接続部とケーブル引き止め金具とを備えたクロージャを中空状電柱の電柱内部に組み込んだ電柱であって、電柱の電柱中空状部に連通する開口部を電柱に形成し、該開口部に通気孔のある扉を開閉自在に設けるとともに、電柱先端に電柱中空状部に連通する排気口部を形成し、前記開口部に位置してケーブル引き止め金具を持ったケーブル接続部を備えたクロージャが、上下方向並びに前後方向に摺動自在にスライド用支柱並びにブラケットを介して配備されたもので、管理・組立やケーブル接続作業性を向上し、電柱内の空気の対流を活用して耐環境性を高めＡＯクロージャ、π−ＯＮＵクロージャなどのクロージャの保護を図って、且つ都市景観に調和した電柱としたものである。
【０００５】
本発明では、前記電柱が、鋼管継柱上管と鋼管継柱下管とからなり、前記開口部周辺には補強被覆材を付設し、電柱先端の排気口部にケーブル導入用のラッパ管を備え、該ラッパ管にケーブル引き込みパイプを電柱中空状部に吊垂配備したことをも特徴とするもので、前記スライド用支柱は、断面Ｃ型レールであって、該レールに嵌挿されるスライド駒を摺動自在に備え、該スライド駒にハンドルを介してブラケットが前後方向に摺動自在に備えられて、クロージャがスライダ用支柱に対して上下方向並びに前後方向に移動されて前記開口部に露出位置し、配線工事、保守工事の安全な地上作業の簡便化と作業効率の向上を図ることにある。
【０００６】
【発明の実施の形態】
本発明の実施態様では、電柱の先端にある排気口部から３６０度方向から屋外線引き込みを行ない電柱下部に組み込んであるケーブル引き止め金具を持ったケーブル接続装置にケーブルを接続固定して用いられるが、電柱の電柱中空状部に連通する開口部を設けて、該開口部にケーブル接続装置を臨ましめると共に、開口部に通気孔のある扉を開閉自在に設けてあるので、この扉の通気孔から電柱内対流を生じさせケーブル接続装置の周囲を経て排気口部から自然放熱させ、過酷な環境条件下でもクロージャを保護して安全性を高められる。さらに扉を開いて、スライド用支柱並びにブラケットを介して摺動自在に配備されているケーブル接続装置を、開口部に臨んで上下方向並びに前後方向に移動して、前記ケーブル接続部のＡＯクロージャ、π−ＯＮＵクロージャなどのクロージャを地上付近の開口部の作業し易い位置に動かして、障害物のない地上での手元接続並びにその他の配線作業や装置類の取付け作業を効率良く行うことができ、心線確認作業も容易化ができる。また、配線終了後にケーブル接続装置を元に戻してロックし、扉を閉じ施錠すれば前記ケーブル接続部が内装されて第三者が触れることなく安全に保護され、ケーブル類もすべて電柱内に配線され、最少工具によるノンスキル施工ができ、しかも伝送特性に悪影響がなく信頼性ある安全な配線作業ができる。
なお、前記クロージャ装置は、スリーブをヒンジ中心に容易に展開させスリーブを開き内部の接続作業を簡便にできるものである。
【０００７】
【実施例】
本発明を図１乃至図５に示されたケーブル接続部を備えたクロージャ装置Ａ，Ｂを中空状電柱の電柱内部に組み込んだ電柱１であって、電柱１の電柱中空状部１１に連通する開口部２を電柱１に形成し、該開口部２に通気孔３のある扉４を開閉自在に設けるとともに、電柱先端に電柱中空状部１１に連通する排気口部５を形成し、前記ケーブル接続部に接続されるケーブルを前記電柱先端の排気口部５から電柱１の中空状部１１に引き込み前記ケーブル引き止め金具６に取付け保持したもので、空気の対流を活用して耐環境性を高めＡＯクロージャＡ、π−ＯＮＵクロージャＢなどのクロージャ装置の保護を図って、且つ都市景観に調和した電柱１としたものである。
【０００８】
この場合、前記電柱１の開口部２に位置してクロージャＡ，Ｂが上下方向並びに前後方向に摺動自在に配備されるように、前記電柱１内に設けた断面Ｃ型レールのスライド用支柱７に摺動自在に嵌挿するスライド駒１７に連結桿１８を介してブラケット８が前後方向に摺動自在に備えられ、該ブラケット８にハンドル１９とクロージャＡ，Ｂを装備し、さらに前記ブラケット８に形成した長穴１６に嵌合したフランジピン１５によって前記クロージャＢが前後方向に摺動自在に装着され前記開口部２に露出位置するようになっている。また、電柱１は、鋼管継柱上管と鋼管継柱下管とからなり、前記開口部２周辺には補強被覆材１０を付設し、電柱先端の排気口部５にケーブル導入用で鳥害防止構造のラッパ管１１を備え、該ラッパ管１１にケーブル引き込みパイプ１２を電柱中空状部１１に吊垂配備し、３６０度方向から曲率（約３０度以上）を確保して屋外線を引き込むと共に、開口部２付近まで通して前記ケーブル引き止め金具６に取付け保持したもので、このブラケット８のハンドル１９でクロージャＡ，Ｂを前後方向ならびに上下方向に摺動操作できるようにしてある。
なお、このブラケット８はワンタッチストッパ機構（図示せず）例えば、凸没自在の突起とこれに嵌合する孔との係止構造によって安全なスライドができ、各装置類の接続保守が容易にできるようにしてある。この場合、摺動する対抗面に相対的に設ければよく、スライド用支柱７とスライド駒１７に対設したり、或いはブラケット８と電柱内固定部との摺動面に対設したりして常設時（上部位置）や、作業引下げ時（下部位置）での確実な固定保持の実現化ができる。
【０００９】
前記クロージャＡ，Ｂとしては、ＡＯクロージャＡとπ−ＯＮＵクロージャＢとからなり、π−ＯＮＵクロージャＢが、前記ブラケット８に取り付けられスライダ用支柱７に対して上下方向並びに前後方向に移動されて前記開口部２に露出位置することで、障害物のない地上での手元接続並びにその他の配線作業や装置類の取付け作業を効率良く行うことができ、心線確認作業も容易化ができるようになっている。
【００１０】
前記通気孔３のある扉４が、前記電柱１の外周に沿った湾曲板からなり、前記開口部２にヒンジ部で開閉自在に連結され、この扉４の通気孔３から電柱内対流を生じさせケーブル接続装置の周囲を経て排気口部５から自然放熱させ、過酷な環境条件下でもで電柱内のクロージャ装置を保護して安全性を高められるし、扉４を閉じ、扉に設けた錠前ノブの鉤付きハンドル４１を回して施錠すれば、前記ケーブル接続部が内装されて第三者が触れることなく安全に保護され、ケーブル類もすべて電柱内に配線され、最少工具によるノンスキル施工ができ、しかも伝送特性に悪影響がなく信頼性ある安全な配線作業ができる。
なお、前記扉４は、電柱１の外周に沿ってスライドするように引き戸式の構成としてもよく、また引き出して回動する構造の開閉自在の扉としてもよく、いずれにしても前記開口部２において作業時に十分な作業スペースが確保でき、無理のない姿勢で作業できる形態のものを採用することが考慮され、さらに扉４は柱面より突出しない構造とするのがよい。
【００１１】
前記電柱４内の温度が、外気より高いとき煙突効果によって電柱内気流の流速が早まり、気流の持ち去る熱量は、電柱先端の流路面積によって換気熱量が決まるので、通気孔３の総面積は、電柱上部の流路面積より小さくするのがよい。
この場合、前記電柱先端の排気口部５にあるラッパ管１１は、上方に浮かして配備し周囲隙間から排気できるようにするのがよい。また、電柱４内のクロージャＡ，Ｂからの放熱は自然対流で電柱外に放出されるが、高温の空気は自然に上昇し、冷たい空気は下降する傾向にあるので、実際には最低でも０．５ｍ／ｓ程度の微風（平均１ｍ／ｓ）の風が吹いているのが通常であり、電柱４内の気流温度は外気よりずっと低いもの（２℃〜３℃）となり、クロージャの冷却機能を効果的に発揮することができる。例えば、前記電柱４の設置周辺温度が、−３０℃〜５０℃の環境下でもπ−ＯＮＵクロージャＢ自体に熱的に問題が生じないように設計される。
そして日射量と、照り返しをも考慮に入れて、更に電柱外壁面の熱伝達率並びに地中への伝熱量を勘案して、π−ＯＮＵクロージャＢの周囲温度は、湿度９５％ＰＨ以下の条件で、日射量３．３（ＭＪ／ｍ２ｈ）の日射相当の光源で照らされた時、電柱内に収納されているπ−ＯＮＵクロージャＢ付近温度の上昇を抑えることができた。
【００１２】
さらに前記ＡＯクロージャＡとπ−ＯＮＵクロージャＢの心線ケースとしては、図２及び図３のようにブラケット８の長穴１６に嵌合したフランジピン１５によって前後方向に摺動自在に装着され、開閉蓋Ｂ１の開放で内部にセットされる複数の接続用のコネクタ保持部と、該コネクタ保持部に収納されたコネクタから導出されるケーブル心線余長を引き廻し、即ちループ状に巻回させて保持する心線余長収納部とを区画して備えた略長方形体を用い、所定間隔に配列されるケーブル押え片で伝送特性に悪影響が及ばないように心線がなめらかに湾曲したループ状に巻回保持できるように配慮してある。
【００１３】
また、前記ラッパ管１１は、電柱１の排気口部５に取付けリブ２１で隙間を置いて設けられて、降雨浸入並びに鳥害防止構造としてあり、屋外線を所定の曲率を確保して３６０度から引き込める用に配慮してある。
前記電柱１の適所にファイバの曲率を確保できるＲ構造の引き込み管２０を設けて、ケーブルの引き込みを電柱１の途中から中空状部１１にできるようにすることもできる。さらに電柱１の外周には、必要に応じ足場取付け部２２などを付設して取扱し易くしてある。
【００１４】
【発明の効果】
本発明は、ケーブル接続部とケーブル引き止め金具とを備えたクロージャを中空状電柱の電柱内部に組み込んだ電柱において、電柱の電柱中空状部に連通する開口部を電柱に形成し、該開口部に通気孔のある扉を開閉自在に設けるとともに、電柱先端に電柱中空状部に連通する排気口部を形成し、前記ケーブル接続部に接続されるケーブルを前記電柱先端の排気口部から電柱の中空状部に引き込み前記ケーブル引き止め金具に取付け保持したものであって電柱１の開口部２に位置してクロージャＡ，Ｂが上下方向並びに前後方向に摺動自在に配備されるように、前記電柱１内に設けた断面Ｃ型レールのスライド用支柱７に摺動自在に嵌挿するスライド駒１７に連結桿１８を介してブラケット８が前後方向に摺動自在に備えられ、該ブラケット８にハンドル１９とクロージャＡ，Ｂを装備し、さらに前記ブラケット８に形成した長穴１６に嵌合したフランジピン１５によって前記クロージャＢが前後方向に摺動自在に装着され前記開口部２に露出位置することにより、心線接続部の安全かつ高密度収納ができ、心線接続作業では、開口孔部の扉を開いて引き込まれた多心ケーブル外被を引き止め金具で固定して心線を露呈してこれに接続する心線相互をコネクタによって接続し、心線の接続余長を心線ケース内に保持させつつ心線余長収納部に沿わせ、コネクタをクロージャに収納係止するので、心線の接続作業や接続状況の確認を地上付近で容易に行うことができるし、ケーブル接続用クロージャなどを中空状電柱内部に安全に組み込んだ電柱として用い、空気の対流を活用して耐環境性を高めクロージャの保護を図って、且つ都市景観に調和した電柱のスリム化で外観環境を大幅に向上させ、地上での安全作業で作業疲労度の軽減化を実現できると共に、ブラケットを介してクロージャがハンドル操作で電柱内に移動でき電柱の開口部に位置させてハンドルでブラケットを前方に移動させたのち、さらにクロージャをブラケット上に前進させて狭い電柱内から移動ブラケットによってクロージャを２段階に摺動させて電柱外に露出させて地上付近でのケーブル引き込み及び手元接続配線作業ができ、通線機の操作も容易に可能にして作業効率を向上し、各装置類の接続保守が安全で、かつ過酷な環境条件下でもクロージャを保護して安全性の高い電柱とし、しかも収納用品により接続部の増設も容易に可能となるほか、専用工具不要でノンスキル作業が可能となり接続作業に伝送特性に影響を与えない配線整理ができ、整理保管も信頼性高く確保できると共に、ケーブル接続用クロージャを中空状電柱内部に移動して障害物のない場所での配線作業によりケーブル接続部の被覆収容作業を著しく迅速に行うことができ、取扱い良好で作業効率の向上に役立って、接続固定も楽に安全に行える電柱を構成簡単で安価な形態とすることができる。
【図面の簡単な説明】
【図１】  本発明の実施例を示し、（ａ）はその使用状態の斜視図、（ｂ）は一部の拡大斜視図、（ｃ）は、その作動状態を示す斜視図である。
【図２】  図１の例を示すクロージャ装置の取付け機構で、（ａ）は組立前の斜視図、（ｂ）は組立後の斜視図である。
【図３】  図２の例の拡大状態を示し、（ａ）は一部の切断平面図、（ｂ）はＡ−Ａ線に於ける縦断面図である。
【図４】  本発明例の使用状態を示し、（ａ）は正面図、（ｂ）はＢ−Ｂ線における拡大切断平面図である。
【図５】  図４の例の電柱の一部を拡大して示し、（ａ）はその先端部の一部切断正面図、（ｂ）は電柱開口部の一部切断正面図、（ｃ）はその正面図である。
【符号の説明】
Ａ，Ｂ  クロージャ
１  電柱
１１中空状部
２  開口部
３  通気孔
４  扉
５  排気口
６  ケーブル引き留め金具
７  スライド支柱
８  ブラケット
１０  補強被覆材
１１  ラッパ管
１２  引き込みパイプ
１５  フランジピン
１６  長穴
１７  スライド駒
１８  連結桿
１９  ハンドル
【図１】
0003946828.tif 000002
【図２】
0003946828.tif 000003
【図３】
0003946828.tif 000004
【図４】
0003946828.tif 000005
【図５】
0003946828.tif 000006